(57)【要約】      （修正有）【課題】２つのブランケット胴とも確実に洗浄できる印刷機のドラム洗浄装置を提供する。【解決手段】第１の洗浄部27にて、洗浄布22の第１の面22aを第１のブランケット胴11に接触させて洗浄する。洗浄布反転部28にて、第１の洗浄部27を通過した洗浄布22の第１の面22aと第２の面22bとを反転させる。第２の洗浄部29にて、第１の洗浄部27を通過した洗浄布22の第１の面22aに対して反対側の第２の面22bを第２のブランケット胴12に接触させて洗浄する。２つのブランケット胴11，12をそれぞれ洗浄布22の未使用の面で同時に洗浄し、２つのブランケット胴11，12とも確実に洗浄する。【選択図】図１
2010120180.tif 000002
【特許請求の範囲】
【請求項１】
洗浄布を用いて、印刷機の第１のドラムおよび第２のドラムを同時に洗浄する印刷機のドラム洗浄装置であって、
前記洗浄布を供給する洗浄布供給部と、
この洗浄布供給部から供給される前記洗浄布の第１の面を前記第１のドラムに接触させて洗浄する第１の洗浄部と、
この第１の洗浄部を通過した前記洗浄布の第１の面と第２の面とを反転させる洗浄布反転部と、
この洗浄布反転部によって反転された前記洗浄布の第２の面を前記第２のドラムに接触させて洗浄する第２の洗浄部と、
この第２の洗浄部を通過した前記洗浄布を巻き取る洗浄布巻取り部と
を具備していることを特徴とする印刷機のドラム洗浄装置。
【請求項２】
前記洗浄布反転部は、前記第１の洗浄部を通過した前記洗浄布を前記洗浄布供給部の周囲を迂回させて前記洗浄布の第２の面が前記第２のドラムに接触するように前記洗浄布を反転させる
ことを特徴とする請求項１記載の印刷機のドラム洗浄装置。
【請求項３】
上下に配置されている前記第１のドラムおよび前記第２のドラムに対応して、前記第１の洗浄部および前記第２の洗浄部が上下に配置され、
前記第１の洗浄部から前記第２の洗浄部までの前記洗浄布の移動領域の下方に、前記第２の洗浄部から前記洗浄布巻取り部までの前記洗浄布の移動領域が配置されている
ことを特徴とする請求項１または２記載の印刷機のドラム洗浄装置。
【請求項４】
前記供給部から前記第１の洗浄部に供給する前記洗浄布に液体が含浸されており、
前記第１の洗浄部から前記第２の洗浄部へ移動する前記洗浄布に液体を給液する給液部が配置されている
ことを特徴とする請求項１ないし３いずれかに記載の印刷機のドラム洗浄装置。
【発明の詳細な説明】
【技術分野】
【０００１】
本発明は、洗浄布を用いて、印刷機の２つのドラムを同時に洗浄するドラム洗浄装置に関する。
【背景技術】
【０００２】
従来、印刷機のドラム洗浄装置は、印刷機のブランケット胴や圧胴などのドラムの周面に対して洗浄液や水などの液体を含浸させた洗浄布を接触させ、これらドラムと洗浄布との相対的な移動により、ドラムのインクや紙粉などの汚れを取り除いている。
【０００３】
ドラム洗浄装置としては、１台で１つのドラムを洗浄できるようにしたものの他に、１台で上下に隣接して配置されている２つのドラムを同時に洗浄できるようにしたものがある。このドラム洗浄装置では、供給ロールから供給する洗浄布の一面を一方のドラムに接触させて洗浄し、この一方のドラムとの接触部分を通過した洗浄布の同じ一面を他方のドラムに接触させて洗浄し、この他方のドラムとの接触部分を通過した洗浄布を巻取りロールに巻き取っている（例えば、特許文献１参照。）。
【特許文献１】特公平４−５３７０５号公報（第４−５頁、第４図）
【発明の開示】
【発明が解決しようとする課題】
【０００４】
しかしながら、従来のドラム洗浄装置では、洗浄布の同じ面で２つのドラムを清掃しており、つまり、一方のドラムとの接触で汚れの付着した洗浄布の一面が、他方のドラムに接触して洗浄するため、他方のドラムの汚れを十分に洗浄することができない問題がある。
【０００５】
本発明は、このような点に鑑みなされたもので、２つのドラムとも確実に洗浄できる印刷機のドラム洗浄装置を提供することを目的とする。
【課題を解決するための手段】
【０００６】
請求項１記載の印刷機のドラム洗浄装置は、洗浄布を用いて、印刷機の第１のドラムおよび第２のドラムを同時に洗浄する印刷機のドラム洗浄装置であって、前記洗浄布を供給する洗浄布供給部と、この洗浄布供給部から供給される前記洗浄布の第１の面を前記第１のドラムに接触させて洗浄する第１の洗浄部と、この第１の洗浄部を通過した前記洗浄布の第１の面と第２の面とを反転させる洗浄布反転部と、この洗浄布反転部によって反転された前記洗浄布の第２の面を前記第２のドラムに接触させて洗浄する第２の洗浄部と、この第２の洗浄部を通過した前記洗浄布を巻き取る洗浄布巻取り部とを具備しているものである。
【０００７】
請求項２記載の印刷機のドラム洗浄装置は、請求項１記載の印刷機のドラム洗浄装置において、前記洗浄布反転部は、前記第１の洗浄部を通過した前記洗浄布を前記洗浄布供給部の周囲を迂回させて前記洗浄布の第２の面が前記第２のドラムに接触するように前記洗浄布を反転させるものである。
【０００８】
請求項３記載の印刷機のドラム洗浄装置は、請求項１または２記載の印刷機のドラム洗浄装置において、上下に配置されている前記第１のドラムおよび前記第２のドラムに対応して、前記第１の洗浄部および前記第２の洗浄部が上下に配置され、前記第１の洗浄部から前記第２の洗浄部までの前記洗浄布の移動領域の下方に、前記第２の洗浄部から前記洗浄布巻取り部までの前記洗浄布の移動領域が配置されているものである。
【０００９】
請求項４記載の印刷機のドラム洗浄装置は、請求項１ないし３いずれか記載の印刷機のドラム洗浄装置において、前記供給部から前記第１の洗浄部に供給する前記洗浄布に液体が含浸されており、前記第１の洗浄部から前記第２の洗浄部へ移動する前記洗浄布に液体を給液する給液部が配置されているものである。
【発明の効果】
【００１０】
請求項１記載の印刷機のドラム洗浄装置によれば、第１の洗浄部にて洗浄布の第１の面を第１のドラムに接触させて洗浄した後、洗浄布反転部で洗浄布を反転させることにより、第２の洗浄部にて第１の洗浄部を通過した洗浄布の第１の面に対して反対側の第２の面を第２のドラムに接触させて洗浄するため、２つのドラムをそれぞれ洗浄布の汚れが付着していない面で同時に洗浄でき、２つのドラムとも確実に洗浄できる。
【００１１】
請求項２記載の印刷機のドラム洗浄装置によれば、請求項１記載の印刷機のドラム洗浄装置の効果に加えて、洗浄布反転部により、第１の洗浄部を通過した洗浄布を洗浄布供給部の周囲を迂回させて洗浄布の第２の面が第２のドラムに接触するように洗浄布を反転させるため、ドラム洗浄装置をコンパクトに構成できる。
【００１２】
請求項３記載の印刷機のドラム洗浄装置によれば、請求項１または２記載の印刷機のドラム洗浄装置の効果に加えて、第１の洗浄部から第２の洗浄部までの洗浄布の移動領域の下方に、第２の洗浄部から洗浄布巻取り部までの洗浄布の移動領域が配置されているため、第１の洗浄部を通過した洗浄布から汚れが落下しても、その汚れを第２の洗浄部から洗浄布巻取り部までの間の洗浄布で受け止め、その汚れが下方の第２のドラムなどに落下するのを防止できる。
【００１３】
請求項４記載の印刷機のドラム洗浄装置によれば、請求項１ないし３いずれか記載の印刷機のドラム洗浄装置の効果に加えて、洗浄液を含浸した洗浄布で第１のドラムを洗浄できるとともに、この第１のドラムの洗浄により洗浄布に含浸された液体が不足しても、第１の洗浄部から第２の洗浄部へ移動する洗浄布に給液部から液体を給液するため、第２のドラムの洗浄効果を向上できる。
【発明を実施するための最良の形態】
【００１４】
以下、本発明の一実施の形態を、図面を参照して説明する。
【００１５】
印刷機は、第１のドラムとしての第１のブランケット胴11、および第２のドラムとしての第２のブランケット胴12を備え、これらブランケット胴11，12が上下に隣接して配置されている。
【００１６】
これらブランケット胴11，12に対向する外側位置に、これらブランケット胴11，12を同時に洗浄するための１台のドラム洗浄装置21が配置されている。
【００１７】
このドラム洗浄装置21では、洗浄布22を用いてブランケット胴11，12を洗浄する。洗浄布22は、例えば、ブランケット胴11，12の軸方向長さ寸法に対応した幅寸法を有する帯状の不織布であり、主面である一面の第１の面22aおよび他面である第２の面22bを有し、ロール状に巻回された洗浄布ロール23としてドラム洗浄装置21に配置されている。この洗浄布22には、例えば洗浄液や水などの液体が予め含浸されている。
【００１８】
ドラム洗浄装置21は、洗浄布22を装着する洗浄ユニット25を備え、この洗浄ユニット25がブランケット胴11，12に対して接離する方向に移動可能に図示しないフレームに支持されている。
【００１９】
洗浄ユニット25には、洗浄布ロール23が配置されて洗浄布22を供給する洗浄布供給部26、この洗浄布供給部26から供給される洗浄布22の第１の面22aを第１のブランケット胴11に接触させて洗浄する第１の洗浄部27、この第１の洗浄部27を通過した洗浄布22の第１の面22aと第２の面22bとを反転させる洗浄布反転部28、この洗浄布反転部28によって反転された洗浄布22の第２の面22bを第２のブランケット胴12に接触させて洗浄する第２の洗浄部29、およびこの第２の洗浄部29を通過した洗浄布22を巻き取る洗浄布巻取り部30を備えている。
【００２０】
洗浄布供給部26は、洗浄布ロール23が配置される受台32を備えている。この受台32は、受皿状に形成され、第１の洗浄部27への洗浄布22の引き出しに伴う洗浄布ロール23の回動を許容するとともに、洗浄布ロール23から染み出した液体を貯留することができる。そして、この受台32の洗浄布ロール23から引き出される洗浄布22は、第１の面22aが第１のブランケット胴11に接触するように第１の洗浄部27の下側へ導かれる。
【００２１】
また、第１の洗浄部27は、洗浄布22の第２の面22bが接触する圧着パッド34、この圧着パッド34を支持した圧着パッド支持部35、圧着パット34に導かれる洗浄布22および圧着パッド34から引き出される洗浄布22をそれぞれガイドするガイド部36を備え、この圧着パッド34により洗浄布22の第１の面22aを第１のブランケット胴11に押圧接触させる。
【００２２】
また、洗浄布反転部28は、第１の洗浄部27の上側から引き出された洗浄布22を洗浄布供給部26の周囲である上方、側部および下方にわたって迂回するようにガイドする回転自在な複数のガイドローラ38を備えている。そして、この洗浄布反転部28により、第１の洗浄部27では第１のブランケット胴11に接触されなかった洗浄布22の第２の面22bが、第２の洗浄部29では第２のブランケット胴12に接触するように、洗浄布22の第１の面22aと第２の面22bとを反転させる。
【００２３】
この洗浄布反転部28の位置には、第１の洗浄部27から第２の洗浄部29へ移動する過程で、この洗浄布反転部28で反転されて上方へ向く洗浄布22の第２の面22bに対して、例えば洗浄液や水などの液体を給液する給液部39が配置されている。この給液部39は、スプレーノズルなどで構成され、図示しない給液装置から供給される液体を洗浄布22の第２の面22bの全面に給液する。
【００２４】
また、第２の洗浄部29は、洗浄布22の第１の面22aが摺動可能に接触する圧着パッド41、この圧着パッド41を支持した圧着パッド支持部42、圧着パット41に導かれる洗浄布22および圧着パッド41から引き出される洗浄布22をそれぞれガイドするガイド部43を備え、この圧着パッド41により洗浄布22の第２の面22bを第２のブランケット胴12に押圧接触させる。
【００２５】
また、洗浄布巻取り部30は、第２の洗浄部29を通過した洗浄布22を巻き取る巻取り軸45、この巻取り軸45を巻取り方向に回動させる駆動機構46を備えている。駆動機構46は、例えば、シリンダ47を用い、このシリンダ47の直線運動を回転運動に変換し、この回転運動を巻取り軸45の巻取り方向へのみ巻取り軸45に伝達し、巻取り軸45を巻取り方向に回転させるように構成されている。
【００２６】
洗浄布巻取り部30の下方には、巻取り軸45に巻き取られる洗浄布22から汚れなどが落下した場合にそれを受け止める受皿48が配置されている。
【００２７】
そして、洗浄ユニット25では、上下に配置されている第１のブランケット胴11および第２のブランケット胴12に対応して、第１の洗浄部27および第２の洗浄部29が上下に配置され、さらに、第１の洗浄部27から洗浄布反転部28を経て第２の洗浄部29に到達するまでの洗浄布22の移動領域の下方に、第２の洗浄部29から洗浄布巻取り部30までの洗浄布22の移動領域が配置されている。
【００２８】
次に、ドラム洗浄装置21の動作を説明する。
【００２９】
ドラム洗浄装置21の準備では、洗浄布ロール23を洗浄布反転部28の複数のガイドローラ38間を通じて受台32に配置し、洗浄布ロール23から引き出した洗浄布22の一端側を第１の洗浄部27、洗浄布反転部28の複数のガイドローラ38、第２の洗浄部29の順に掛け回して巻取り軸45に装着する。この洗浄布ロール23には予め例えば洗浄液や水などの液体が含浸されている。
【００３０】
ドラム洗浄装置21による洗浄動作時には、洗浄ユニット25をブランケット胴11，12に接近移動させ、第１の洗浄部27で洗浄布22の第１の面22aを第１のブランケット胴11の押圧接触させるとともに、第２の洗浄部29で洗浄布22の第２の面22bを第２のブランケット胴12の押圧接触させる。このとき、ブランケット胴11，12はそれぞれ回転しており、ブランケット胴11，12と洗浄布22の各面22a，22bとの相対的な移動によって、ブランケット胴11，12の汚れを例えば洗浄液や水などの液体が含浸されている洗浄布22の各面22a，22bで取り除いてブランケット胴11，12を洗浄する。
【００３１】
さらに、洗浄布巻取り部30で洗浄布22を巻取り、洗浄布22の各面22a，22bの使用済み部分を各洗浄部27，29から排出させるとともに未使用部分を各洗浄部27，29に供給し、ブランケット胴11，12を確実に洗浄する。
【００３２】
そして、このドラム洗浄装置21では、洗浄布反転部28により、第１の洗浄部27では第１のブランケット胴11に接触されなかった洗浄布22の第２の面22bが、第２の洗浄部29では第２のブランケット胴12に接触するように、洗浄布22の第１の面22aと第２の面22bとを反転させる。
【００３３】
そのため、従来のように一方のドラムとの接触で汚れの付着した洗浄布の面と同じ面で他方のドラムを洗浄するようなことがなく、２つのブランケット胴11，12をそれぞれ洗浄布22の汚れの付着していない各面22a，22bで洗浄でき、２つのブランケット胴11，12とも汚れを確実に洗浄できる。
【００３４】
また、洗浄布反転部28では、第１の洗浄部27を通過した洗浄布22を洗浄布供給部26の周囲を迂回させて洗浄布22の第２の面22bが第２のブランケット胴12に接触するように洗浄布22を反転させるため、洗浄布22を反転させる機構を採りながら、ドラム洗浄装置21をコンパクトに構成できる。
【００３５】
さらに、第１の洗浄部27から第２の洗浄部29までの洗浄布22の移動領域の下方に、第２の洗浄部29から洗浄布巻取り部30までの洗浄布22の移動領域が配置されているため、第１の洗浄部27を通過した洗浄布22から汚れが落下したとしても、その落下した汚れを第２の洗浄部29から洗浄布巻取り部30までの間の洗浄布22で受け止めることができ、その汚れが下方の第２のブランケット胴12などに落下するのを防止できる。
【００３６】
また、第１のブランケット胴11の洗浄により洗浄布22に含浸された例えば洗浄液や水などの液体が不足気味となっても、第１の洗浄部27から第２の洗浄部29へ移動する洗浄布22に給液部39から液体を給液するため、第２のブランケット胴12の洗浄に十分な液体を含浸させることとができ、第２のブランケット胴12の洗浄効果を向上できる。
【００３７】
なお、例えば、図１において、洗浄布巻取り部30の位置と洗浄布供給部26の位置とを逆とし、洗浄布22を逆方向に移動させても、同様の作用効果が得られる。
【００３８】
また、２つの第１のドラムと第２のドラムとしては、２つともブランケット胴11，12の場合に限らず、ブランケット胴と圧胴の場合などでもよい。
【図面の簡単な説明】
【００３９】
【図１】本発明の一実施の形態を示す印刷機のドラム洗浄装置のである。
【符号の説明】
【００４０】
11    第１のドラムとしての第１のブランケット胴
12    第２のドラムとしての第２のブランケット胴
21    ドラム洗浄装置
22    洗浄布
22a   第１の面
22b   第２の面
26    洗浄布供給部
27    第１の洗浄部
28    洗浄布反転部
29    第２の洗浄部
30    洗浄布巻取り部
39    給液部
【図１】
2010120180.tif 000003